(57)【特許請求の範囲】
【請求項１】
吹き出し口の左右に設けられ、風向を上下方向に変更する左右独立に駆動されるフラップと、前記吹き出し口の左右に設けられ、風向を左右方向に変更する左右独立に駆動されるルーバとを備え、
予め室内空間を少なくとも前後および左右の４つのエリアとそれに室全体および室中央の２つのエリアを加えた６つのエリアに区画し、それに対応して少なくとも６つのエリア設定ボタンが設けられ、その６つの前記エリア設定ボタンの組み合わせにより少なくとも１６パターンの前記エリアが選択可能とされており、
前記エリア設定ボタンを操作して任意の１以上のエリアを選び、その選択された前記エリアに対応して予め設定されている位置にもしくは動作で前記各フラップおよび前記各ルーバを駆動し、選択された前記エリアに向けて空調された空気を吹き出すことにより当該エリアを空調する空気調和機のエリア空調方法であって、
前記空気調和機の据え付け位置が前記室内空間の中央以外の場合、運転モードが暖房でかつ２以上のエリアが同時に空調エリアに選択されたとき、前記各フラップおよび前記各ルーバの駆動位置が、予め設定されている複数の位置間で設定時間毎に交互に切り替え可能とされているとともに、
運転モードが暖房以外でかつ前記空気調和機の据え付け位置に対して右側または左側の前後のエリアが同時に空調エリアに選択されたとき、当該右側または左側の前記フラップがスイングされることを特徴とする空気調和機のエリア空調方法。
【請求項２】
前記６つのエリア設定ボタンをリモコンに設け、該リモコン上で空調したい前記エリアが任意に選択可能とされていることを特徴とする請求項１に記載の空気調和機のエリア空調方法。
【請求項３】
選択された前記エリアに対応するように予め設定されている前記各フラップおよび前記各ルーバの駆動位置もしくは動作が、暖房時と暖房以外の時とに分けて各々設定されていることを特徴とする請求項１または２に記載の空気調和機のエリア空調方法。
【請求項４】
前記室内空間内の前記空気調和機の据え付け位置に応じて前記各フラップおよび前記各ルーバの駆動位置が、風向き設定ボタンにより調整可能とされていることを特徴とする請求項１ないし３のいずれかに記載の空気調和機のエリア空調方法。
【請求項５】
空調エリアとして前記室全体が選択されたとき、前記各フラップおよび前記各ルーバが上下および左右に同時にスイングされ、空調された空気を立体的に吹き出すことを特徴とする請求項１ないし４のいずれかに記載の空気調和機のエリア空調方法。
【請求項６】
前記空気調和機の据え付け位置が前記室内空間の中央以外の場合、運転モードが暖房でかつエリア空調が設定されたとき、風量が強制的に最大風量とされることを特徴とする請求項１ないし５のいずれかに記載の空気調和機のエリア空調方法。
【請求項７】
吹き出し口の左右に設けられ、風向を上下方向に変更する左右独立に駆動されるフラップと、前記吹き出し口の左右に設けられ、風向を左右方向に変更する左右独立に駆動されるルーバとを備え、
予め室内空間を少なくとも前後および左右の４つのエリアとそれに室全体および室中央の２つのエリアを加えた６つのエリアに区画し、それに対応して少なくとも６つのエリア設定ボタンが設けられ、その６つの前記エリア設定ボタンの組み合わせにより少なくとも１６パターンの前記エリアが選択可能とされており、
前記エリア設定ボタンを操作して任意の１以上のエリアを選び、その選択された前記エリアに対応して予め設定されている位置にもしくは動作で前記各フラップおよび前記各ルーバを駆動し、選択された前記エリアに向けて空調された空気を吹き出す空気調和機であって、
前記空気調和機の据え付け位置が前記室内空間の中央以外の場合、運転モードが暖房でかつ２以上のエリアが同時に空調エリアに選択されたとき、前記各フラップおよび前記各ルーバの駆動位置が、予め設定されている複数の位置間で設定時間毎に交互に切り替え可能とされているとともに、
運転モードが暖房以外でかつ前記空気調和機の据え付け位置に対して右側または左側の前後のエリアが同時に空調エリアに選択されたとき、当該右側または左側の前記フラップがスイングされることを特徴とする空気調和機。
【請求項８】
前記エリア設定ボタンがリモコンに設けられていることを特徴とする請求項７に記載の空気調和機。
【発明の詳細な説明】
【技術分野】
【０００１】
本発明は、吹き出し口の左右に設けられ、風向を上下方向に変更する左右独立に駆動されるフラップと、風向を左右方向に変更する左右独立に駆動されるルーバとを備えた空気調和機のエリア空調方法および空気調和機に関するものである。
【背景技術】
【０００２】
空気調和機は、室内の空気を吸い込み口からファンを介して筐体内に吸い込み、筐体内に設けられている熱交換器を通して冷却または加熱した後、温調された空気を吹き出し口から室内へと吹き出すことにより、室内を空調するように構成されている。このような空気調和機の吹き出し口には、一般に吹き出し風の風向を上下方向に変更するためのフラップと、左右方向に変更するためのルーバとが設けられており、このフラップおよびルーバの向きを変更することによって、空調風の吹き出し方向を好みの方向に変えたり、あるいは連続的にスイングさせることにより室全体に対して空調風を吹き出し、温度分布の均一化を図ったりしている。
【０００３】
そして、空調風を室内空間に吹き出すに際し、その空調風を、例えば室内空間中の特定のエリアあるいはゾーンに向けスポット的に吹き出す等、きめ細かくコントロールするために、吹き出し口に設けられるフラップおよびルーバを吹き出し口の左右に各々独立して駆動されるように配設した空気調和機が提案されている（例えば、特許文献１参照）。この空気調和機では、吹き出し口の左右に分割されて設けられたフラップを各々別のモータで独立して駆動可能とするとともに、吹き出し口に設けられた多数のルーバ群を少なくとも左右の２群に分け、各々を別のモータで独立して駆動可能とし、一方のフラップおよびルーバで室全体に対して空調風を導くとともに、また他方で足元等にスポット的に空調風を導くことによって、より快適な空調ができるようにしている。
【０００４】
【特許文献１】特開平９−３２４９４７号公報
【発明の開示】
【発明が解決しようとする課題】
【０００５】
上記の空気調和機では、室内空間中の特定のエリアあるいはゾーンをスポット的に空調することは可能である。しかしながら、かかる空調を実現するためには、その都度吹き出し口に設けられている左右独立のフラップおよびルーバの向きを希望の吹き出し方向が得られるように個別に変更しなければならず、ユーザーにとって煩雑な操作が必要となるという問題があった。また、希望するエリアあるいはゾーンを快適に空調するには、そこに向って空調風を上手くコントロールする必要があるが、そのためにフラップおよびルーバを最適な位置に調整することもユーザーにとっては困難を伴うという問題があった。
【０００６】
本発明は、このような事情に鑑みてなされたものであって、予め複数に区画されている空調空間の中の空調したい特定のエリアを選び、そのエリアを簡単な操作でかつ素早く快適な空間へと空調することができる空気調和機のエリア空調方法および空気調和機を提供することを目的とする。
【課題を解決するための手段】
【０００７】
上記課題を解決するために、本発明の空気調和機のエリア空調方法および空気調和機は以下の手段を採用する。
すなわち、本発明にかかる空気調和機のエリア空調方法は、吹き出し口の左右に設けられ、風向を上下方向に変更する左右独立に駆動されるフラップと、前記吹き出し口の左右に設けられ、風向を左右方向に変更する左右独立に駆動されるルーバとを備え、予め室内空間を少なくとも前後および左右の４つのエリアとそれに室全体および室中央の２つのエリアを加えた６つのエリアに区画し、それに対応して少なくとも６つのエリア設定ボタンが設けられ、その６つの前記エリア設定ボタンの組み合わせにより少なくとも１６パターンの前記エリアが選択可能とされており、前記エリア設定ボタンを操作して任意の１以上のエリアを選び、その選択された前記エリアに対応して予め設定されている位置にもしくは動作で前記各フラップおよび前記各ルーバを駆動し、選択された前記エリアに向けて空調された空気を吹き出すことにより当該エリアを空調する空気調和機のエリア空調方法であって、前記空気調和機の据え付け位置が前記室内空間の中央以外の場合、運転モードが暖房でかつ２以上のエリアが同時に空調エリアに選択されたとき、前記各フラップおよび前記各ルーバの駆動位置が、予め設定されている複数の位置間で設定時間毎に交互に切り替え可能とされているとともに、運転モードが暖房以外でかつ前記空気調和機の据え付け位置に対して右側または左側の前後のエリアが同時に空調エリアに選択されたとき、当該右側または左側の前記フラップがスイングされることを特徴とする。
【０００８】
本発明によれば、予め室内空間を少なくとも前・後、左・右、室全体および室中央の６つのエリアに区画し、その６つのエリアに対応して設けられている６つのエリア設定ボタンの組み合わせにより選択可能とされている１６パターンのエリアの中から、エリア設定ボタンを操作して任意の１以上のエリアを選び、その選択されたエリアに対応して予め設定されている位置にもしくは動作で各フラップおよび各ルーバを駆動することにより、選択されたエリアに向けて空調された空気を吹き出し、当該エリアを空調するようにしているため、室内空間の中にあって空調したい特定のエリアを選び、そこを狙ってスポット的に空調された空気を吹き出すことによって、当該エリアを空調することが可能となる。従って、簡単な操作でかつ素早く空調したい特定のエリアを快適な空間へと空調することができる。特に、空気調和機の据え付け位置が室内空間の中央以外の場合、運転モードが暖房でかつ２以上のエリアが同時に空調エリアに選択されたとき、各フラップおよび各ルーバの駆動位置が、予め設定されている複数の位置間で設定時間毎に交互に切り替え可能とされているため、各フラップおよび各ルーバの駆動位置を各エリアに対して設定されている最適な位置に設定時間毎に交互に切り替えることにより、上方に舞い上がり易い温風をコントロールして２以上のエリアを略同一状態に空調することができ、２以上のエリアを同時に暖房する場合でも各々のエリアを快適に空調することができる。また、運転モードが暖房以外でかつ空気調和機の据え付け位置に対して右側または左側の前後のエリアが同時に空調エリアに選択されたとき、当該右側または左側のフラップが上下にスイングされるため、各々のエリアに対して均一に空調風を送風し、選択されたエリア全域を均一に空調することができる。
【０００９】
さらに、本発明の空気調和機のエリア空調方法は、上記の空気調和機のエリア空調方法において、前記６つのエリア設定ボタンをリモコンに設け、該リモコン上で空調したい前記エリアが任意に選択可能とされていることを特徴とする。
【００１０】
本発明によれば、６つのエリア設定ボタンをリモコンに設け、リモコン上で空調したいエリアが任意に選択可能とされているため、空調エリアを選択するエリア選びをリモコン上でのボタン操作（押す）によって簡単に行うことができる。
【００１１】
さらに、本発明の空気調和機のエリア空調方法は、上述のいずれかの空気調和機のエリア空調方法において、選択された前記エリアに対応するように予め設定されている前記各フラップおよび前記各ルーバの駆動位置もしくは動作が、暖房時と暖房以外の時とに分けて各々設定されていることを特徴とする。
【００１２】
本発明によれば、選択されたエリアに向けて空調された空気を吹き出すための各フラップおよび各ルーバの駆動位置もしくは動作が、暖房時と暖房以外の時とに分けて各々設定されているため、暖房時または暖房以外の例えば冷房時のいずれにおいても、各々適正な位置にもしくは動作で各フラップおよび各ルーバが駆動され、選択されたエリアに向けて温風または冷風を吹き出すことができる。従って、選択されたエリアに対して最適な状態で温風または冷風を導き、当該エリアを快適に暖房または冷房することができる。
【００１３】
さらに、本発明の空気調和機のエリア空調方法は、上述のいずれかの空気調和機のエリア空調方法において、前記室内空間内の前記空気調和機の据え付け位置に応じて前記各フラップおよび前記各ルーバの駆動位置が、風向き設定ボタンにより調整可能とされていることを特徴とする。
【００１４】
本発明によれば、室内空間内の空気調和機の据え付け位置に応じて各フラップおよび各ルーバの駆動位置が、風向き設定ボタンにより調整可能とされているため、空気調和機の据え付け位置が室内空間の中央、右端、左端のいずれであっても、それに合わせて各フラップおよび各ルーバの駆動位置を最適な位置に調整することができる。従って、ユーザー側においても空気調和機の据え付け位置に応じて最適な風向ないし好みの風向を適宜設定することができる。
【００１５】
さらに、本発明の空気調和機のエリア空調方法は、上述のいずれかの空気調和機のエリア空調方法において、空調エリアとして前記室全体が選択されたとき、前記各フラップおよび前記各ルーバが上下および左右に同時にスイングされ、空調された空気を立体的に吹き出すことを特徴とする。
【００１６】
本発明によれば、空調エリアとして室全体が選択されたとき、各フラップおよび各ルーバを上下および左右に同時にスイングさせて空調された空気を立体的に吹き出すようにしているため、吹き出し風をスクロールさせながら室内空間全体に対して斑無くかつ素早く行き渡らせることができる。従って、室内空間全体を均一の温度に短時間で空調することができる。
【００１７】
さらに、本発明の空気調和機のエリア空調方法は、上述のいずれかの空気調和機のエリア空調方法において、前記空気調和機の据え付け位置が前記室内空間の中央以外の場合、運転モードが暖房でかつエリア空調が設定されたとき、風量が強制的に最大風量とされることを特徴とする。
【００１８】
本発明によれば、空気調和機の据え付け位置が室内空間の中央以外の場合、運転モードが暖房でかつエリア空調が設定されたとき、風量が強制的に最大風量とされるため、一般に空気調和機の据え付け位置が室内の右端あるいは左端の場合、選択されたエリア（特に据え付け位置の反対側の手前や奥のエリア）によっては温風が到達し難くなるが、風量が強制的に最大風量とされることから、どのエリアにも十分に温風を到達させることが可能となる。従って、各エリアとも快適な暖房を実現することができる。
【００１９】
さらに、本発明にかかる空気調和機は、吹き出し口の左右に設けられ、風向を上下方向に変更する左右独立に駆動されるフラップと、前記吹き出し口の左右に設けられ、風向を左右方向に変更する左右独立に駆動されるルーバとを備え、予め室内空間を少なくとも前後および左右の４つのエリアとそれに室全体および室中央の２つのエリアを加えた６つのエリアに区画し、それに対応して少なくとも６つのエリア設定ボタンが設けられ、その６つの前記エリア設定ボタンの組み合わせにより少なくとも１６パターンの前記エリアが選択可能とされており、前記エリア設定ボタンを操作して任意の１以上のエリアを選び、その選択された前記エリアに対応して予め設定されている位置にもしくは動作で前記各フラップおよび前記各ルーバを駆動し、選択された前記エリアに向けて空調された空気を吹き出す空気調和機であって、前記空気調和機の据え付け位置が前記室内空間の中央以外の場合、運転モードが暖房でかつ２以上のエリアが同時に空調エリアに選択されたとき、前記各フラップおよび前記各ルーバの駆動位置が、予め設定されている複数の位置間で設定時間毎に交互に切り替え可能とされているとともに、運転モードが暖房以外でかつ前記空気調和機の据え付け位置に対して右側または左側の前後のエリアが同時に空調エリアに選択されたとき、当該右側または左側の前記フラップがスイングされることを特徴とする。
【００２０】
本発明によれば、予め室内空間を少なくとも前・後、左・右、室全体および室中央の６つのエリアに区画し、その６つのエリアに対応して設けられている６つのエリア設定ボタンの組み合わせにより選択可能とされている１６パターンのエリアの中から、エリア設定ボタンを操作して任意の１以上のエリアを選び、その選択されたエリアに対応して予め設定されている位置にもしくは動作で各フラップおよび各ルーバを駆動することにより、選択されたエリアに向けて空調された空気を吹き出すようにしているため、室内空間の中にあって空調したい特定のエリアを選び、そこを狙ってスポット的に空調された空気を吹き出すことにより当該エリアを空調することが可能となる。従って、簡単な操作でかつ素早く空調したい特定のエリアを快適な空間へと空調することができる。特に、空気調和機の据え付け位置が室内空間の中央以外の場合、運転モードが暖房でかつ２以上のエリアが同時に空調エリアに選択されたとき、各フラップおよび各ルーバの駆動位置が、予め設定されている複数の位置間で設定時間毎に交互に切り替え可能とされているため、各フラップおよび各ルーバの駆動位置を各エリアに対して設定されている最適な位置に設定時間毎に交互に切り替えることにより、上方に舞い上がり易い温風をコントロールして２以上のエリアを略同一状態に空調することができ、２以上のエリアを同時に暖房する場合でも各々のエリアを快適に空調することができる。また、運転モードが暖房以外でかつ空気調和機の据え付け位置に対して右側または左側の前後のエリアが同時に空調エリアに選択されたとき、当該右側または左側のフラップが上下にスイングされるため、各々のエリアに対して均一に空調風を送風し、選択されたエリア全域を均一に空調することができる。
【００２１】
さらに、本発明の空気調和機は、上記の空気調和機において、前記エリア設定ボタンがリモコンに設けられていることを特徴とする。
【００２２】
本発明によれば、エリア設定ボタンがリモコンに設けられているため、空調したいエリアの選択をリモコン上のエリア設定ボタンのボタン操作（押す）により簡単に行うことができる。従って、エリア選びを簡単にかつ容易に行うことができる。
【発明の効果】
【００２３】
本発明の空気調和機のエリア空調方法および空気調和機によると、エリア設定ボタンの操作で簡単に、室内空間の中にあって空調したい特定のエリアを選び、そこを狙ってスポット的に空調された空気を吹き出すことによって当該エリアを空調することが可能となるため、簡単な操作でかつ素早く空調したい特定のエリアを快適な空間へと空調することができる。特に、空気調和機の据え付け位置が室内空間の中央以外の場合、運転モードが暖房でかつ２以上のエリアが同時に空調エリアに選択されたとき、各フラップおよび各ルーバの駆動位置が、予め設定されている複数の位置間で設定時間毎に交互に切り替え可能とされているため、各フラップおよび各ルーバの駆動位置を各エリアに対して設定されている最適な位置に設定時間毎に交互に切り替えることにより、上方に舞い上がり易い温風をコントロールして２以上のエリアを略同一状態に空調することができ、２以上のエリアを同時に暖房する場合でも各々のエリアを快適に空調することができる。また、運転モードが暖房以外でかつ空気調和機の据え付け位置に対して右側または左側の前後のエリアが同時に空調エリアに選択されたとき、当該右側または左側のフラップが上下にスイングされるため、各々のエリアに対して均一に空調風を送風し、選択されたエリア全域を均一に空調することができる。
【発明を実施するための最良の形態】
【００２４】
以下に、本発明にかかる実施形態について、図面を参照して説明する。
［第１実施形態］
以下、本発明の第１実施形態について、図１ないし図１５を用いて説明する。
図１には、本実施形態に係る壁掛け型の空気調和機１の正面図が示され、図２には、その縦断面図が示されている。なお、本実施形態では、壁掛け型の空気調和機１を例示しているが、本発明は、このような壁掛け型の空気調和機１に限定されるものではなく、床置き型、天吊り型、天埋め型、ウォールスルー型等、他のあらゆる型式の空気調和機にも同様に適用することができるものである。
【００２５】
空気調和機１は、ベース本体２と、このベース本体２にその前方部位を上下、左右、および前面から被うように取り付けられる前面パネル３とから構成される筐体４を備えている。筐体４の上面には、その略全面に格子状の空気吸い込み口５が開口されており、下面の前方部位には、その略全幅にわたって空調空気の室内への吹き出し口６が開口されている。吹き出し口６には、風向を左右方向に変更する左右に分割されて個別に駆動される各々複数枚のルーバ７Ａ，７Ｂと、風向を上下方向に変更するとともに、吹き出し口６を閉鎖可能な左右に分割されて個別に駆動される上下各２枚のフラップ８Ａ，８Ｂとが設けられている。
【００２６】
これらのルーバ７Ａ，７Ｂおよびフラップ８Ａ，８Ｂは、図示省略の４個のステッピングモータにより各々独立して揺動可能（スイング可能）に構成されている。すなわち、フラップ８Ａ，８Ｂは、図４に示すように、下死点Ａから上死点Ｐまでの角度範囲を上下に１６段階（Ａ点，Ｐ点を含む）に区分した位置に駆動され、あるいは連続的にスイング駆動されるように構成されている。また、ルーバ７Ａ，７Ｂは、図５に示すように、空気調和機１の正面にルーバ７Ａ，７Ｂが向いている状態を０度（ｇ点）とし、左右に各々６段階のａ点からｍ点までの角度範囲を左右に１３段階（ａ点，ｇ点，ｍ点を含む）に区分した位置に駆動され、あるいは連続的にスイング駆動されるように構成されている。
【００２７】
ベース本体２の前面側には、ファンケース９の一部が一体に成形されており、その前方側に取り付けられるスタビライザ１０との間に、空気吸い込み口５から空調空気の吹き出し口６に至る空気流路１１が形成されている。空気流路１１内には、モータにより回転駆動される細長い筒状の羽根車を有するクロスフローファンからなる室内ファン１２が水平方向に配設されている。この室内ファン１２を介して室内空気が吸い込み口５から筐体４内に吸い込まれ、空気流路１１を流通後、吹き出し口６から再び室内へと吹き出されるように構成されている。
【００２８】
室内ファン（クロスフローファン）１２の上方部位には、その吸い込み側を取り囲むように山形状に折り曲げ形成された横長の空気熱交換器１３が配設されており、室内ファン１２によって循環される空気を冷房時は冷却、暖房時は加熱して室内空気を温調できるように構成されている。空気熱交換器１３の下部には、ベース本体２およびスタビライザ１０と一体をなすドレンパン１４，１５が各々配設されている。また、空気吸い込み口５と空気熱交換器１３との間の空気流路１１には、空気中の比較的大きな塵埃を除去するプレフィルタ１６が設置されており、その下流側には、各種の空気清浄化フィルタ１７が設置された構成とされている。
【００２９】
筐体４の右側部には、室内側のコントローラ１８が内蔵されており、図３（Ａ）、（Ｂ）に示されているリモコン２０からの操作信号を受信部１９によって受信し、空気調和機１の運転を制御するように構成されている。リモコン２０は、図３（Ａ）、（Ｂ）に示されるように、運転状態を表示する表示部２１を備えるとともに、多数の操作ボタン群の１つとして６個のエリア設定ボタン２２Ａないし２２Ｆを備えている。また、リモコンの蓋を開けた内部位置に３個の風向き設定ボタン２３Ａないし２３Ｃを備えている。
【００３０】
エリア設定ボタン２２Ａないし２２Ｆは、空気調和機１の据え付け位置に対して室内空間を予め前後（手前と奥）および左右の４つのエリアと、室全体および室中央の２つのエリアとの合計６つのエリアに区画し、この６つのエリアに対応させて６個のエリア設定ボタン２２Ａないし２２Ｆが設けられている。従って、この６個のエリア設定ボタン２２Ａないし２２Ｆの組み合わせによって、図６および図７に示されるように、少なくとも１６パターンの空調エリアが選択可能とされるとともに、中央、左端、右端の３種の据え付け位置が設定可能とされている。
【００３１】
そして、上記の１６パターンのエリア設定および３種の据え付け位置設定に従い、吹き出し口６のルーバ７Ａ，７Ｂおよびフラップ８Ａ，８Ｂの駆動位置もしくは動作が、図６および図７の表示に基づき制御されるように設定されている。つまり、６個のエリア設定ボタン２２Ａないし２２Ｆを操作して１６パターンの中から好みの空調エリアを選択すると、選択されたエリアに対応して左右のフラップ８Ａ，８Ｂは、各々図４に示されているＡ点からＰ点までの範囲において、図６および図７に示されている何れかの位置に駆動されるか、もしくは連続的にスイング動作され、同様に、左右のルーバ７Ａ，７Ｂは、各々図５に示されているａ点からｍ点までの範囲において、図６および図７に示されている何れかの位置に駆動されるように構成されている。
【００３２】
このルーバ７Ａ，７Ｂおよびフラップ８Ａ，８Ｂの駆動位置もしくは動作は、運転モードにより、図６に示される暖房以外の例えば冷房あるいは除湿の時と、図７に示される暖房時とに分けて設定されている。また、ルーバ７Ａ，７Ｂおよびフラップ８Ａ，８Ｂの駆動位置は、風向き設定ボタン２３Ａないし２３Ｃにより空気調和機１の据え付け位置や室の形状等に応じて適宜最適位置あるいは好みの位置に補正（調整）できるように構成されている。
【００３３】
さらに、本実施形態では、空気調和機１の据え付け位置が室内空間の中央以外の左端または右端の場合において、運転モードが暖房でかつ２以上のエリアが同時に空調エリアとして選択されたとき、つまり、エリア設定ボタンの２２Ａと２２Ｄ、２２Ａと２２Ｂと２２Ｄ、２２Ａと２２Ｂと２２Ｃ、２２Ａと２２Ｃ、２２Ｃと２２Ｂ、２２Ｃと２２Ｄと２２Ｂ、２２Ｃと２２Ｄと２２Ａ、２２Ｄと２２Ｂが各々同時に選択されたときには、図７に示すように、ルーバ７Ａ，７Ｂおよびフラップ８Ａ，８Ｂの駆動位置が、予め設定されている複数の位置間で設定時間毎（例えば、１分毎）に上段の位置から下段の位置へと交互に切り替えられるように設定され、上方に舞い上がり易い温風をコントロールして２以上のエリアを略同じ状態に空調できるようにしている。
【００３４】
また、運転モードが暖房以外の冷房あるいは除湿時等であって、かつ空気調和機１の据え付け位置に対して少なくとも右側または左側の前後のエリアが同時に空調エリアに選択されたとき、つまり、エリア設定ボタンの２２Ａと２２Ｂ、２２Ａと２２Ｂと２２Ｄ、２２Ａと２２Ｂと２２Ｃ、２２Ｃと２２Ｄ、２２Ｃと２２Ｄと２２Ｂ、２２Ｃと２２Ｄと２２Ａが各々同時に選択されたときには、図６に示すように、当該右側または左側のフラップ８Ａ，８Ｂが上下にスイングされるように設定され、各々のエリアに均一に空調風を送風できるようにしている。
【００３５】
また、エリア設定ボタン２２Ｅが操作され、空調したいエリアとして室全体が選択されたときには、ルーバ７Ａ，７Ｂおよびフラップ８Ａ，８Ｂを各々左右および上下に同時にスイングさせ、空調された空気が立体的に吹き出されるように設定している。この立体吹き出しは、左右のフラップ８Ａ，８Ｂを運転モードが暖房以外の時には、図１４（Ａ）に示すように、Ｐ点を基準位置としてＰ点、Ｆ点、Ｄ点の間をサイクル動作させ、運転モードが暖房時には、図１４（Ｂ）に示すように、Ｇ点を基準位置としてＧ点、Ｂ点、Ｉ点の間をサイクル動作させるとともに、左右のルーバ７Ａ，７Ｂを両運転時共に、図１５に示すように、ｇ点を基準位置としてｇ点、ｊ点、ｆ点、ｋ点、ｌ点、ｋ点、ｆ点、ｊ点、ｄ点、ｈ点、ｃ点、ａ点、ｃ点、ｈ点、ｄ点、ｇ点の間をサイクル動作させることにより実現している。これによって、吹き出し風をスクロールさせ、十分な到達距離を確保して空調風を室内空間全体に素早く行き渡らせることができるようにしている。
【００３６】
さらに、空気調和機１の据え付け位置が室内空間の中央以外の左端または右端寄りとされた場合には、運転モードが暖房でかつエリア空調が設定されたとき、風量が強制的に最大風量とされるように設定している。これは、空気調和機１の据え付け位置が室内空間の左端あるいは右端寄りとされた場合、選択されたエリア（特に据え付け位置の反対側の手前や奥のエリア）によっては温風が到達し難くなるためであり、風量を強制的に最大風量とすることによって、どのエリアに対しても十分に温風を到達させることが可能となる。
【００３７】
以上に説明の構成により、本実施形態によれば、以下の作用効果を奏する。
空気調和機１による空調運転は、空気熱交換器１３に図示省略の冷凍サイクルから断熱膨張された低温低圧の気液二相冷媒を供給し、この冷媒と室内ファン１２により循環される室内空気とを熱交換させ、空気を冷却して室内へと吹き出すことによって冷房あるいは除湿運転を行い、また、空気熱交換器１２に冷凍サイクルから高温高圧のホットガス冷媒を供給し、これと室内空気とを熱交換させ、空気を加熱して室内へと吹き出すことにより暖房運転を行うことができる。
【００３８】
空調運転は、リモコン２０から空気調和機１のコントローラ１８に送信される操作信号に従って様々なモードに切り替えられて運転され、その間、空気調和機１が据え付けられている室内の温度あるいは湿度が、設定温度あるいは湿度となるように圧縮機の回転数や室内ファン１２の回転数等が負荷状態に見合うように適宜制御される。
ここで、空気調和機１が据え付けられる室がリビングダイニング等のように多目的に使われる室の場合、必ずしも室全体を同時に空調する必要がないこともあり、室全体の空調以外にも、生活シーンに合わせて特定のエリア、例えばソファコーナー、ダイニングテーブルコーナー、キッチンコーナー等を簡単にスポット的に空調できれば、これらのエリアを効率的に素早く快適な空間へと空調することができることから使い勝手がよくなる。
【００３９】
本実施形態によれば、リモコン２０に設けられているエリア設定ボタン２２Ａないし２２Ｆを操作し、６つに区画されているエリアの中から任意の１以上のエリアを選んでコントローラ１８に信号を送信することにより、ルーバ７Ａ，７Ｂおよびフラップ８Ａ，８Ｂが、図６および図７に示されるように、運転モード（暖房時と暖房以外の時）に応じて予め設定されている位置にもしくは動作で駆動され、上記で選択されたエリアに向けて空調された空気を吹き出し、当該エリアをスポット的に空調することが可能となる。
【００４０】
例えば、暖房以外の冷房運転時において、エリア設定ボタン２２Ｃを押して空気調和機１に対して手前右側のエリアを選択すると、リモコン２０の表示部２１には、図８に示されるように、エリア設定が表示され、ルーバ７Ａ，７Ｂおよびフラップ８Ａ，８Ｂは、図６中の右列最上段の欄の据え付け位置に対応して各々記載されている位置に駆動される。同様に、２つのエリア設定ボタン２２Ａ、２２Ｄが押されると、リモコン２０には図９に示すようにエリア設定が表示され、ルーバ７Ａ，７Ｂおよびフラップ８Ａ，８Ｂは、図６中の左列４段目の欄に記載されている位置に駆動され、またエリア設定ボタン２２Ｂ、２２Ｄが押されると、図１０に示すようにエリア設定が表示され、ルーバ７Ａ，７Ｂおよびフラップ８Ａ，８Ｂは、図６中の右列７段目の欄に記載されている位置に駆動され、さらにエリア設定ボタン２２Ｃ、２２Ｄが押されると、図１１に示すようにエリア設定が表示され、ルーバ７Ａ，７Ｂおよびフラップ８Ａ，８Ｂは、図６中の右列３段目の欄に記載されている位置に駆動される。
【００４１】
また、室中央を空調エリアとして選択するエリア設定ボタン２２Ｆが押されると、図１２に示されるようにエリア設定が表示され、ルーバ７Ａ，７Ｂおよびフラップ８Ａ，８Ｂは、図６中の右列最下段の欄に記載されている位置に駆動され、更に室内全体を空調エリアとして選択するエリア設定ボタン２２Ｅが押されると、図１３に示すようにエリア設定が表示され、ルーバ７Ａ，７Ｂおよびフラップ８Ａ，８Ｂは、吹き出し風を図６中の左列最下段に記載されている立体気流とするために、図１４（Ａ）および図１５に示されるように、サイクル動作によりスイングされて空調風を室内へと吹き出す。
【００４２】
このため、運転モードが暖房時または暖房以外の時のいずれの場合でも、室内空間中にあって空調したい特定のエリアを選択し、そこを狙ってスポット的に空調された空気を吹き出すことによって当該エリアを空調することが可能となる。従って、リモコン２０上のエリア設定ボタン２２Ａないし２２Ｆによる簡単なエリア選び操作で素早く空調したい特定のエリアを快適な空間へと空調することができる。なお、このエリア選びは、図６および図７に示されるように、６個のエリア設定ボタン２２Ａないし２２Ｆの組み合わせによる１６パターンの中から任意のエリアを選択することができる。しかも、この１６パターンに対応してルーバ７Ａ，７Ｂおよびフラップ８Ａ，８Ｂの駆動位置および動作が予め当該エリアを空調するのに最適な状態に設定されているため、ユーザーによる煩雑な操作も不要である。
【００４３】
また、リモコン２０には、空気調和機１の据え付け位置や室の形状等に応じて風向きを補正（調整）できる風向き設定ボタン２３Ａないし２３Ｃが設けられているため、ルーバ７Ａ，７Ｂおよびフラップ８Ａ，８Ｂの駆動位置を、それに合わせて最適な位置に適宜補正（調整）することができる。従って、ユーザー側においても空気調和機１の据え付け位置や室の形状に対応した最適な風向あるいは好みの風向を適宜設定することができる。
【００４４】
また、空気調和機１の据え付け位置が中央以外の左端または右端寄りの場合、暖房でかつ２以上のエリアが同時に選択されたとき、ルーバ７Ａ，７Ｂおよびフラップ８Ａ，８Ｂの駆動位置が、２段階で設定時間毎に交互に切り替えられるようにしているため、ルーバ７Ａ，７Ｂおよびフラップ８Ａ，８Ｂの駆動位置を各々のエリアに対して設定されている最適な位置に設定時間毎に交互に切り替えることにより、上方に舞い上がり易い温風をコントロールして２以上のエリアを略同じ状態に空調することができる。従って、運転モードが暖房でかつ２以上のエリアを同時に空調する場合においても各々のエリアを快適に空調することができる。
【００４５】
また、運転モードが暖房以外の冷房あるいは除湿等であって、かつ空気調和機１の据え付け位置に対して右側または左側の前後のエリアが同時に空調したいエリアに選択されたときには、当該エリアに対応する右側または左側のフラップ８Ａ，８Ｂが上下にスイングされるようにしている。このため、各々のエリアに対して均一に空調風を送風し、選択されたエリア全域を均一に空調することができる。
【００４６】
また、空調エリアとしてエリア設定ボタン２２Ｅの操作により室全体が選択されたときには、図１４及び図１５に示すように、左右のルーバ７Ａ，７Ｂおよびフラップ８Ａ，８Ｂを左右および上下に同時にサイクル動作によりスイングさせて空調された空気を立体的に吹き出すようにしているため、吹き出し風をスクロールさせながら室内空間全体に対して斑無くかつ素早く行き渡らせることができる。従って、室内空間全体を均一の温度に短時間で空調することができる。
【００４７】
さらに、空気調和機１の据え付け位置が室内空間の中央以外の左端または右端の場合には、運転モードが暖房でかつエリア空調が設定されたとき、風量が強制的に最大風量とされるようにしている。このため、空気調和機１の据え付け位置が室内空間の右端あるいは左端の場合、選択されたエリア（特に据え付け位置の反対側の手前や奥のエリア）によっては温風が到達し難い状態となるが、風量を強制的に最大風量とすることによって、どのエリアに対しても十分に温風を到達させることができる。従って、各エリアとも快適な暖房を実現することが可能となる。
【００４８】
［第２実施形態］
次に、本発明の第２実施形態について、図１６を用いて説明する。
本実施形態は、上記した第１実施形態に対して、フラップ７Ａ，７Ｂのリモコン２０上でのスイング表示範囲を暖房時と冷房時とで切り替えるようにしている点が異なる。その他の点については第１実施形態と同様であるので説明は省略する。
本実施形態では、図１６に示すように、リモコン２０上に表示されるフラップ７Ａ，７Ｂのスイング範囲を予め広めの、例えば６段階に設定しておき、冷房時は上から５段を使用して冷房時のスイング範囲を表示し、暖房時は下から５段を使用して暖房時のスイング範囲を表示するようにしている。
【００４９】
このように、冷房時と暖房時とでフラップ７Ａ，７Ｂのスイング範囲の表示を切り替えることによって、冷房時および暖房時における実際のフラップ７Ａ，７Ｂのスイング範囲に近づけることが可能となるため、ユーザーに誤解を与えることがなくなり、品質の向上を図ることができる。
【００５０】
なお、本発明は、上記実施形態にかかる発明に限定されるものではなく、その要旨を逸脱しない範囲において、適宜変形が可能である。例えば、上記実施形態では、室内空間を前後、左右の４つのエリアに区画した例について説明したが、これに限定されるものではなく、部屋の大きさ等に合わせて更に細かく区画することも可能であり、空気調和機の容量に対応させてエリア設定を変えてもよい。また、図６および図７に示される各エリアに対応したルーバ７Ａ，７Ｂおよびフラップ８Ａ，８Ｂの駆動位置もしくは動作は一例であり、本発明はこれに限定されるものではない。
【図面の簡単な説明】
【００５１】
【図１】本発明の第１実施形態に係る空気調和機の正面図である。
【図２】図１に示す空気調和機の縦断面図である。
【図３】図１に示す空気調和機を操作するリモコンの蓋閉じ状態の正面図（Ａ）と蓋開き状態の正面図（Ｂ）である。
【図４】図１に示す空気調和機の左右フラップのスイング範囲を模式的に記載した図である。
【図５】図１に示す空気調和機の左右ルーバのスイング範囲を模式的に記載した図である。
【図６】図１に示す空気調和機の運転モードが暖房以外の時のエリア設定パターンと据付位置、並びにフラップおよびルーバの駆動位置等とを対応させた説明図である。
【図７】図１に示す空気調和機の運転モードが暖房時のエリア設定パターンと据付位置、並びにフラップおよびルーバの駆動位置等とを対応させた説明図である。
【図８】図１に示す空気調和機のリモコン表示部におけるエリア設定状態の画像図である。
【図９】図１に示す空気調和機のリモコン表示部におけるエリア設定状態の他の画像図である。
【図１０】図１に示す空気調和機のリモコン表示部におけるエリア設定状態の他の画像図である。
【図１１】図１に示す空気調和機のリモコン表示部におけるエリア設定状態の他の画像図である。
【図１２】図１に示す空気調和機のリモコン表示部におけるエリア設定状態の他の画像図である。
【図１３】図１に示す空気調和機のリモコン表示部におけるエリア設定状態の他の画像図である。
【図１４】図１に示す空気調和機の室全体がエリア設定時におけるフラップの暖房以外の場合のサイクル動作図（Ａ）と暖房時のサイクル動作図（Ｂ）である。
【図１５】図１に示す空気調和機の室全体がエリア設定時におけるルーバのサイクル動作図である。
【図１６】本発明の第２実施形態に係る空気調和機の冷房時と暖房時におけるフラップのスイング範囲の表示切り替え状態の説明図である。
【符号の説明】
【００５２】
１  空気調和機
６  吹き出し口
７Ａ，７Ｂ  ルーバ
８Ａ，８Ｂ  フラップ
２０  リモコン
２２Ａ，２２Ｂ，２２Ｃ，２２Ｄ，２２Ｅ，２２Ｆ  エリア設定ボタン
２３Ａ，２３Ｂ，２３Ｃ  風向き設定ボタン
【図１】
0005123680.tif 000002
【図２】
0005123680.tif 000003
【図３】
0005123680.tif 000004
【図４】
0005123680.tif 000005
【図５】
0005123680.tif 000006
【図６】
0005123680.tif 000007
【図７】
0005123680.tif 000008
【図８】
0005123680.tif 000009
【図９】
0005123680.tif 000010
【図１０】
0005123680.tif 000011
【図１１】
0005123680.tif 000012
【図１２】
0005123680.tif 000013
【図１３】
0005123680.tif 000014
【図１４】
0005123680.tif 000015
【図１５】
0005123680.tif 000016
【図１６】
0005123680.tif 000017